(57)【要約】【課題】ベンゼン等の揮発性有機化合物で汚染された土壌に注入される微細気泡液の拡散範囲を拡げることができ、しかも微生物の活性化を促進させることができる汚染土壌または地下水の浄化方法および装置を提供する。【解決手段】揮発性有機化合物を原位置で浄化する微細気泡液含有水によるバイオスパージング法であり、汚染土壌６に管状の注入井戸１２を形成する工程と、微細気泡を含む液体Ｗを汚染土壌６中の広範囲に供給する工程と、エアースパージング法によって空気Ａを汚染土壌６中に注入井戸１２を介して送り込む工程とを含むようにする。【選択図】図１
2011050948.tif 000002
【特許請求の範囲】
【請求項１】
揮発性有機化合物を原位置で浄化する微細気泡液含有水によるバイオスパージング法であり、
汚染土壌に管状の注入井戸を形成する工程と、
前記微細気泡を含む液体を前記汚染土壌中の広範囲に供給する工程と、
エアースパージング法によって空気を前記汚染土壌中に前記注入井戸を介して送り込む工程とを含むことを特徴とする汚染土壌または地下水の浄化方法。
【請求項２】
前記液体に含まれる微細気泡は、ミリバブルおよび直径５０μｍ以下のマイクロバブルや直径１μｍ以下のナノバブルであることを特徴とする請求項１に記載の汚染土壌または地下水の浄化方法。
【請求項３】
前記液体は、前記汚染土壌中に生息している微生物による前記揮発性有機化合物の分解を促進させる栄養源（分解促進物質）を含む液体であることを特徴とする請求項１または２に記載の汚染土壌または地下水の浄化方法。
【請求項４】
ガスを利用して前記微細気泡を製造する際に、前記微細気泡の製造に利用されなかった未利用ガスの回収および再利用を行うことを特徴とする請求項１〜３のいずれか一つに記載の汚染土壌または地下水の浄化方法。
【請求項５】
注入口の深度位置が異なる前記注入井戸を前記汚染土壌に複数形成したことを特徴とする請求項１〜４のいずれか一つに記載の汚染土壌または地下水の浄化方法。
【請求項６】
揮発性有機化合物を原位置で浄化する微細気泡液含有水によるバイオスパージング法であり、
汚染土壌に設けた管状の注入井戸と、微細気泡を含む液体を生成する微細気泡液生成手段と、前記微細気泡液生成手段で生成した微細気泡を含む液体を前記汚染土壌中に送り込む液体供給手段と、エアースパージング法によって空気を前記汚染土壌中に前記注入井戸を介して送り込む手段とを備えることを特徴とする汚染土壌または地下水の浄化装置。
【請求項７】
ガスを利用して前記微細気泡を製造する際に、前記微細気泡の製造に利用されなかった未利用ガスの回収および再利用を行うガス回収機構をさらに備えることを特徴とする請求項６に記載の汚染土壌または地下水の浄化装置。
【請求項８】
注入口の深度位置が異なる前記注入井戸を前記汚染土壌に複数設けたことを特徴とする請求項６または７に記載の汚染土壌または地下水の浄化装置。
【発明の詳細な説明】
【技術分野】
【０００１】
本発明は、ベンゼン等の揮発性有機化合物（ＶＯＣ）で汚染された汚染土壌または地下水の浄化方法および装置に関するものである。
【背景技術】
【０００２】
従来、ベンゼンやトリクロロエチレンのような揮発性有機化合物で汚染された土壌や地下水を浄化する方法として、汚染土壌や地下水中に空気を送り込んで汚染物質の気化を促進し、ガス化した汚染物質を回収するエアースパージング法が知られている（例えば、特許文献１参照）。エアースパージング法とは、空気を送り込むことで揮発性物質を液相から気相に転移させ、不飽和層に移った揮発性物質のガスをブロワーで吸引することによって浄化する技術である。一方、酸素が充分に供給された場合には、土壌中に生息する好気性微生物が活性化されて汚染物質の分解が促進されることも期待できる。
【０００３】
特許文献１の浄化方法は、塩素化エチレン等の揮発性有機塩素化合物により汚染された地下水を含む地盤内にスパージング井戸を設け、このスパージング井戸の下端から気体と栄養源（有機物材料）を含有する液体とを地盤に向けて注入することで、スパージングによる汚染物質ガスの除去および回収、酸素と栄養源の供給による微生物処理、揚水井戸による汚染地下水の揚水処理などで、汚染地下水を浄化する方法である。
【０００４】
一方、微生物の作用により油を分解する油汚染土壌浄化方法が知られている（例えば、特許文献２参照）。特許文献２の浄化システムは、栄養源（分解促進物質）と微細気泡含有水とを各々注入井戸に入れて土壌の浄化を行うものである。ここで、栄養源（分解促進物質）は注入井戸の上部から供給し、微細気泡含有水は注入井戸の下部から供給することが示されている。
【先行技術文献】
【特許文献】
【０００５】
【特許文献１】特開２００９−４５５５８号公報
【特許文献２】特開２００９−６３０４号公報
【発明の概要】
【発明が解決しようとする課題】
【０００６】
上記の従来の特許文献１等の汚染土壌または地下水の浄化方法では、汚染土壌中に注入された気体は上方へ向かい易く、水平方向に拡散しにくい。この場合、図５に示すように、スパージング井戸２の下端４周囲の地下水で飽和された土壌６の水平領域に、汚染物質が気化あるいは分解されずに残存する部分Ｐができるおそれがある。
【０００７】
本発明は、ベンゼン等の揮発性有機化合物で汚染された土壌に注入される微細気泡液の拡散範囲を拡げることができ、しかも微生物の活性化を促進させることができる汚染土壌または地下水の浄化方法および装置を提供することを目的とする。
【課題を解決するための手段】
【０００８】
土壌浄化が行われる土壌中において汚染物質が気化あるいは分解されずに残存する部分が生じないようにするという目的を達成するために、本発明の請求項１に係る汚染土壌または地下水の浄化方法は、揮発性有機化合物を原位置で浄化する微細気泡液含有水によるバイオスパージング法であり、汚染土壌に管状の注入井戸を形成する工程と、前記微細気泡を含む液体を前記汚染土壌中の広範囲に供給する工程と、エアースパージング法によって空気を前記汚染土壌中に前記注入井戸を介して送り込む工程とを含むことを特徴とする。
【０００９】
また、本発明の請求項２に係る汚染土壌または地下水の浄化方法は、上述した請求項１において、前記液体に含まれる微細気泡は、ミリバブルおよび直径５０μｍ以下のマイクロバブルや直径１μｍ以下のナノバブルであることを特徴とする。
【００１０】
また、本発明の請求項３に係る汚染土壌または地下水の浄化方法は、上述した請求項１または２において、前記液体は、前記汚染土壌中に生息している微生物による前記揮発性有機化合物の分解を促進させる栄養源（分解促進物質）を含む液体であることを特徴とする。
【００１１】
また、本発明の請求項４に係る汚染土壌または地下水の浄化方法は、上述した請求項１〜３のいずれか一つにおいて、ガスを利用して前記微細気泡を製造する際に、前記微細気泡の製造に利用されなかった未利用ガスの回収および再利用を行うことを特徴とする。
【００１２】
また、本発明の請求項５に係る汚染土壌または地下水の浄化方法は、上述した請求項１〜４のいずれか一つにおいて、注入口の深度位置が異なる前記注入井戸を前記汚染土壌に複数形成したことを特徴とする。
【００１３】
また、本発明の請求項６に係る汚染土壌または地下水の浄化装置は、揮発性有機化合物を原位置で浄化する微細気泡液含有水によるバイオスパージング法であり、汚染土壌に設けた管状の注入井戸と、微細気泡を含む液体を生成する微細気泡液生成手段と、前記微細気泡液生成手段で生成した微細気泡を含む液体を前記汚染土壌中に送り込む液体供給手段と、エアースパージング法によって空気を前記汚染土壌中に前記注入井戸を介して送り込む手段とを備えることを特徴とする。
【００１４】
また、本発明の請求項７に係る汚染土壌または地下水の浄化装置は、上述した請求項６において、ガスを利用して前記微細気泡を製造する際に、前記微細気泡の製造に利用されなかった未利用ガスの回収および再利用を行うガス回収機構をさらに備えることを特徴とする。
【００１５】
また、本発明の請求項８に係る汚染土壌または地下水の浄化装置は、上述した請求項６または７において、注入口の深度位置が異なる前記注入井戸を前記汚染土壌に複数設けたことを特徴とする。
【発明の効果】
【００１６】
本発明によれば、揮発性有機化合物を原位置で浄化する微細気泡液含有水によるバイオスパージング法であり、汚染土壌に管状の注入井戸を形成する工程と、前記微細気泡を含む液体を前記汚染土壌中の広範囲に供給する工程と、エアースパージング法によって空気を前記汚染土壌中に前記注入井戸を介して送り込む工程とを含んでいる。微細気泡を含む液体を注入し、併せてエアースパージング法によって空気を汚染土壌中に注入できるので、土壌に注入される液体と空気の拡散範囲を広範囲に拡げることができる。
【００１７】
また、汚染土壌中に微細気泡を含む液体と空気とを併せて注入することで、地下水中の溶存酸素量が増大するため、土壌中に生息する好気性微生物の活性化を促進させることができる。したがって、ベンゼン等の揮発性有機化合物で汚染された広範囲の汚染土壌または地下水を効率的に浄化することができる。
【図面の簡単な説明】
【００１８】
【図１】図１は、本発明に係る汚染土壌または地下水の浄化装置の実施例１を示す側断面図である。
【図２】図２は、本発明に用いる微細気泡の径と数の関係の一例を示す図である。
【図３】図３は、微細気泡を用いた場合の浄化状況を示す図である。
【図４】図４は、微細気泡を用いない場合の浄化状況を示す図である。
【図５】図５は、従来の汚染土壌または地下水の浄化状況の概念図である。
【図６】図６は、本発明に係る汚染土壌または地下水の浄化装置の実施例２を示す斜視図である。
【図７】図７は、従来の汚染土壌または地下水の浄化装置を示す斜視図である。
【図８】図８は、本発明に係る汚染土壌または地下水の浄化装置の実施例３を示す側断面図である。
【図９】図９は、従来の汚染土壌または地下水の浄化装置を示す側断面図である。
【発明を実施するための形態】
【００１９】
以下に、本発明に係る汚染土壌または地下水の浄化方法および装置の実施の形態（実施例１〜３）を図面に基づいて詳細に説明する。なお、この実施例によりこの発明が限定されるものではない。
【００２０】
［実施例１］
図１に示すように、本発明の実施例１に係る汚染土壌または地下水の浄化装置（以下、単に「浄化装置」という。）１００は、汚染地下水を含む土壌６に設けた管状の注入井戸１２と、注入井戸１２を介して土壌６に微細気泡含有水を供給する液体供給装置１８と、空気Ａを供給する気体供給装置１４とを備え、汚染土壌６または地下水中のベンゼンや油等の揮発性有機化合物を微細気泡液含有水によるバイオスパージング法によって原位置で浄化するものである。
【００２１】
この浄化装置１００は、微細気泡を含む液体Ｗ（微細気泡含有液体）を生成する微細気泡液生成装置１６（微細気泡液生成手段）と、液体Ｗを注入井戸１２を介して土壌６に供給する液体供給装置１８（液体供給手段）とを備える。
【００２２】
注入井戸１２は、汚染土壌６または地下水の浄化に必要な液体Ｗと空気Ａの供給が可能な内径を有し、その下端近傍に開口部を有する管状体で構成してある。この開口部には、通気および通水が可能なスクリーン２０が設けてあり、注入井戸１２内への土砂の侵入を防ぐ一方、注入井戸１２から土壌６への液体Ｗおよび空気Ａの供給を可能としている。また、注入井戸１２の上端には、液体供給装置１８の送液パイプ２４と、気体供給装置１４の送気パイプ２２とが接続してある。なお、注入井戸１２は鋼管に限るものではなく、液体Ｗと空気Ａを汚染土壌６中に供給可能な管状体であれば他の材質で構成しても構わない。
【００２３】
液体供給装置１８は、微細気泡液生成装置１６で生成され、微細気泡含有栄養剤貯蔵タンク４２に設置してある微細気泡吐出ノズル４３から放出された微細気泡を含有する液体Ｗを送液パイプ２４に送り出す送液ポンプ３６と、制御部３７とからなる。送液パイプ２４の所定の位置には、供給する液体Ｗの量を調整するためのバルブ３８、液量センサ４０が設けてある。
【００２４】
気体供給装置１４は、空気Ａを注入井戸１２を介して汚染土壌６中に供給するためのものであり、地表８上に配置してある。この気体供給装置１４は、空気Ａを送気パイプ２２に圧送するコンプレッサ２８からなる。送気パイプ２２の所定の位置には、供給する空気Ａの量を調整するためのバルブ３０、流量センサ３２、圧力センサ３４が設けてある。
【００２５】
制御部３７は、送液ポンプ３６からの液体Ｗの供給が開始される供給開始タイミングを供給直前に検知し、検知した供給開始タイミングに応じて気体供給装置１４からの空気Ａの圧送を開始する駆動タイミングを制御するためのものである。制御部３７は、コンプレッサ２８の動作や、バルブ３０の開閉動作も制御可能としてある。
【００２６】
微細気泡液生成装置１６は、微細気泡としてのミリバブルおよびマイクロバブルやナノバブルを含む液体Ｗ（微細気泡含有液体）を生成するためのものであり、地表８上に配置してある。ここで、本発明に用いる液体Ｗに含まれる微細気泡は、ミリバブルおよび直径５０μｍ以下のマイクロバブルや直径１μｍ以下のナノバブルである。例えば、図２に示すように、直径５０μｍ以下のマイクロバブルまたはミリバブルを含む。微細気泡の原料としては、空気や酸素、オゾン等を用いることができる。また、液体の原料としては、水道水や地下水等を用いることができる。
【００２７】
直径５０μｍ以下の微細気泡の特徴としては、通常の気泡（数ｍｍ〜５０μｍ程度）に比べて（１）水中での上昇速度が遅い、（２）気泡内の圧力が高い、（３）気液面積が大きい、（４）気泡表面が負に帯電していることなどが知られている（参考文献「微細気泡の最新技術、高橋他、エヌ・ティー・エス、２００６年」参照）。特に、微細気泡は、水中で縮小して最終的には消滅したり、長期間にわたって水中に存在するという特徴がある。これに対し、通常の気泡は、水中を上昇して水面で破裂するという特徴がある。
【００２８】
また、微細気泡の数や粒径分布などは製造原理によって異なっており、代表的な製造原理としては、（１）加圧溶解方式、（２）旋回方式、（３）スタティックミキサー方式などがある（参考文献「マイクロバブル発生法と工業装置への適用、寺坂、環境浄化技術、ｖｏｌ．６（１１）、ｐｐ．１３−１７、２００７年」参照）。
【００２９】
上記構成の動作および作用について説明する。
送液ポンプ３６を駆動すると、微細気泡含有栄養剤貯蔵タンク４２の微細気泡吐出ノズル４３から吐出されたマイクロバブルおよびミリバブルからなる微細気泡を含む液体Ｗが、送液パイプ２４を介して注入井戸１２に送り出される。液体Ｗの供給を開始する供給開始タイミングは、供給直前に制御部３７に検知され、制御部３７は、液体Ｗを汚染土壌６中に送り込む際に同時に送ることができるようになっており、空気Ａを汚染土壌６中に圧送するようにコンプレッサ２８の駆動タイミングを制御する。
【００３０】
コンプレッサ２８が駆動されると、空気Ａが送気パイプ２２を介して注入井戸１２に送り込まれる。こうして、注入井戸１２に同時に送り込まれた液体Ｗと空気Ａは、下端のスクリーン２０から汚染土壌６中に注入される。
【００３１】
このように、エアースパージング法で微細気泡を含む液体Ｗを汚染土壌６中に送り込む際に同時に空気Ａを注入することにより、汚染土壌６に注入される空気Ａや微細気泡に含まれる酸素の到達する距離（注入井戸１２を中心とする水平方向の影響半径）を拡げることができる。このため、図５に示すように、従来のエアースパージング法では困難であったスパージング井戸２の下端４周囲の土壌６の水平領域に汚染物質が気化あるいは分解されずに残存する部分Ｐができるのを防ぐことができる。
【００３２】
微細気泡は水中に溶け易く、あるいは長期間保持され易いため、地下水中の溶存酸素量が増加し、土壌中の好気性微生物の活性化を促進することができる。したがって、ベンゼン等の揮発性有機化合物で汚染された広範囲の汚染土壌または地下水を、従来のエアースパージング法のみを適用した場合よりも短期間で効率的に浄化することができる。
【００３３】
図３は、微細気泡を用いた場合の土壌中の浄化状況の概念図を示したものである。図３に示すように、シルト層と飽和層と不飽和層からなる土壌に設けた注入井戸１２に微細気泡を含む液体Ｗを注入すると、微細気泡を含む液体Ｗ（栄養剤）の土壌への供給エリアは広くなるので、広範囲の好気性微生物の活性化が早期に促進される。これにより、短期間で確実な浄化が可能となる。しかも、この浄化効果は土壌中で長期間維持される。
【００３４】
これに対し、微細気泡を用いない従来の浄化方法の場合には、図４に示すように、空気の土壌への供給エリアが狭くなるので好気性微生物の活性化の範囲が狭まるとともに、浄化効率は微細気泡を用いる本発明に比べて劣る。空気を常時供給する手間や汚染物質を抽出したガス回収設備等も必要となるので、これによるコストアップを招くというデメリットもある。
【００３５】
なお、上記の実施の形態において、注入井戸１２の深度は、確実に汚染土壌６または汚染地下水への液体Ｗと空気Ａの供給ができる深さであれば限定されるものではない。さらに、注入井戸１２の本数は、１本に限定されるものではなく、注入井戸１２からの空気Ａおよび液体Ｗの到達距離（エアースパージングの影響範囲）、浄化対象の範囲、空気Ａおよび液体Ｗの注入量や注入圧力等に応じて適宜設定することができる。
【００３６】
［実施例２］
次に、実施例２について説明する。
上述したように、本発明の実施例１は、微細気泡含有水を土壌中に注入することで好気性微生物の活性化させ、ベンゼンや油等の揮発性有機化合物を分解するものである。微細気泡の原料として空気を用いる場合には、図７に示すような装置構成を用いることができる。
【００３７】
図７の装置は、微細気泡含有水貯蔵タンク４２ａと、貯留用水槽５０と、栄養剤貯留槽６０と、空気貯蔵タンク６２とを備える。貯留用水槽５０からの水は、ポンプ４８を介して微細気泡含有水貯蔵タンク４２ａに送られる。空気貯蔵タンク６２からの空気は、バルブ６４ｃおよび微細気泡液生成装置１６を介して、経路５２から微細気泡含有水貯蔵タンク４２ａ内の微細気泡吐出ノズル４３に送られる。微細気泡含有水貯蔵タンク４２ａの微細気泡含有水には栄養剤貯留槽６０からの栄養剤がバルブ６４ａまたは６４ｂを介して混合され、送液ポンプ３６および送液パイプ２４によって図示しない注入井戸に送られる。なお、微細気泡液生成装置１６は経路５４およびバルブ６４ｅを介して貯留用水槽５０からの水の供給を受けるようになっている。
【００３８】
この図７の装置構成において、溶存酸素濃度を高めるために、空気の代わりに純酸素などの比較的高価な特殊ガスを使用することもできるが、この場合には、特殊ガスの使用効率を高めることが好ましい。
【００３９】
そこで、本発明の実施例２に係る汚染土壌または地下水の浄化装置２００は、高価な特殊ガスの使用効率を高めるために、特殊ガスを装置内で循環させる構成としてある。すなわち、図６に示すように、この浄化装置２００は、微細気泡含有水貯蔵タンク４２ａと、貯留用水槽５０と、栄養剤貯留槽６０と、特殊ガス貯蔵タンク４６と、ガス回収機構４４とを備える。図７の装置構成との差異点は、ガス回収機構４４を備える点と、空気貯蔵タンク６２の代わりに特殊ガス貯蔵タンク４６を備える点である。ガス回収機構４４は、蓋５８と、バルブ６４ｄを有する循環用の経路５６とからなる。
【００４０】
図６に示すように、貯留用水槽５０からの水は、ポンプ４８を介して微細気泡含有水貯蔵タンク４２ａに送られる。特殊ガス貯蔵タンク４６からの特殊ガスは、バルブ６４ｃおよび微細気泡液生成装置１６を介して、経路５２から微細気泡含有水貯蔵タンク４２ａ内の微細気泡吐出ノズル４３に送られる。細気泡含有水貯蔵タンク４２ａの微細気泡含有水には栄養剤貯留槽６０からの栄養剤がバルブ６４ａまたは６４ｂを介して混合され、送液ポンプ３６および送液パイプ２４によって図示しない注入井戸に送られる。なお、微細気泡液生成装置１６は経路５４およびバルブ６４ｅを介して貯留用水槽５０からの水の供給を受けるようになっている。
【００４１】
蓋５８は、微細気泡含有水貯蔵タンク４２ａ内の特殊ガスの揮散を防止するためものであり、タンク４２ａの上部に被せてある。循環用の経路５６は、この蓋５８を貫通して微細気泡含有水貯蔵タンク４２ａ内部に連通している。微細気泡の製造に利用されずに微細気泡含有水貯蔵タンク４２ａ内で揮散した未利用のガスは、経路５６を通じて回収され、微細気泡液生成装置１６の入り口側に戻された後、経路５２で微細気泡吐出ノズル４３に送られて微細気泡の製造のために再利用される。
【００４２】
本実施例２によれば、特殊ガスを微細気泡の製造原料として利用する場合に、製造に利用されずに揮散した未利用のガスを蓋５８と経路５６とからなるガス回収機構４４で回収し再利用するので、特殊ガスの使用効率が高められる。このため、高価な特殊ガスからなる微細気泡を比較的低コストで製造することができる。
【００４３】
［実施例３］
次に、実施例３について説明する。
従来は、図９に示すように、栄養剤貯留槽６０および微細気泡含有栄養剤貯蔵タンク４２からの微細気泡含有水を、注入井戸１２の外周に設けたスクリーン２０を介して土壌６に注入していた。この場合、注入する深度の幅が大きいほど土壌中へ注入する液体が水平・垂直方向に均等に行き渡らないことが懸念される。
【００４４】
そこで、本発明の実施例３に係る汚染土壌または地下水の浄化装置３００では、図８に示すように、下部に注入口６６を有する注入井戸１２を、注入口６６の深度を変えて複数（図では３本）配置している。各注入口６６毎の注入量や注入圧力は図示しない制御装置により変更可能としてある。このため、この各注入量や圧力を適宜調整すれば、微細気泡含有水を各注入口６６を介して土壌６中に均等に行き渡らせることができる。微細気泡を土壌中に均等に拡散させることにより、好気性微生物による酸素消費が促進され、周辺土壌の効率的な浄化が可能となる。
【００４５】
なお、注入井戸１２の数を増減することによって、浄化対象深度の幅の大小に対応することができる。例えば、浄化対象深度の幅が大きい場合には注入井戸１２の数を増やして対応すればよい。
【００４６】
以上説明したように、本発明によれば、揮発性有機化合物を原位置で浄化する微細気泡液含有水によるバイオスパージング法であり、汚染土壌に管状の注入井戸を形成する工程と、前記微細気泡を含む液体を前記汚染土壌中の広範囲に供給する工程と、エアースパージング法によって空気を前記汚染土壌中に前記注入井戸を介して送り込む工程とを含んでいる。微細気泡を含む液体を注入し、併せてエアースパージング法によって空気を汚染土壌中に注入できるので、土壌に注入される液体と空気の拡散範囲を広範囲に拡げることができる。
【００４７】
また、汚染土壌中に微細気泡を注入することで、土壌間隙水中の溶存酸素量が増大し、原位置の微生物の活性化を促進させる。このため、土壌に注入される気体の影響範囲を拡げることができ、しかも原位置に生息する好気性微生物の活性化を促進させることができる。したがって、ベンゼン等の揮発性有機化合物で汚染された広範囲の汚染土壌または地下水を効率的に浄化することができる。
【産業上の利用可能性】
【００４８】
以上のように、本発明に係る汚染土壌または地下水の浄化方法および装置は、汚染土壌や地下水を原位置で浄化する場合に有用であり、特に、ベンゼン等の揮発性有機化合物で汚染された土壌や地下水を原位置で好気的に浄化処理する微細気泡含有水によるエアースパージング法に適している。
【符号の説明】
【００４９】
２  スパージング井戸
６  土壌
８  地表
１２  注入井戸
１４  気体供給装置
１６  微細気泡液生成装置（微細気泡液生成手段）
１８  液体供給装置（液体供給手段）
２０  スクリーン
２２  送気パイプ
２４  送液パイプ
２８  コンプレッサ
３０  バルブ
３２  流量センサ
３４  圧力センサ
３６  送液ポンプ
３７  制御部
３８  バルブ
４０  液量センサ
４２  微細気泡含有栄養剤貯蔵タンク
４３  微細気泡吐出ノズル
４４  ガス回収機構
６６  注入口
１００  汚染土壌または地下水の浄化装置（実施例１）
２００  汚染土壌または地下水の浄化装置（実施例２）
３００  汚染土壌または地下水の浄化装置（実施例３）
Ｗ  液体
Ａ  空気
【図１】
2011050948.tif 000003
【図２】
2011050948.tif 000004
【図３】
2011050948.tif 000005
【図４】
2011050948.tif 000006
【図５】
2011050948.tif 000007
【図６】
2011050948.tif 000008
【図７】
2011050948.tif 000009
【図８】
2011050948.tif 000010
【図９】
2011050948.tif 000011